(57)【特許請求の範囲】
【請求項１】
角部を有する金属製の筐体と、
前記筐体の前記角部以外の第１の側面に設けられ、発電された直流電力を入力するＤＣ端子と、
前記筐体に収容され、インバータ部と、前記インバータ部を制御する制御部とを有し、前記インバータ部により前記直流電力を交流電力に変換するインバータ回路と、
前記筐体の第１の側面と隣り合う第２の側面に設けられ、前記インバータ回路から出力される前記交流電力を出力するＡＣ端子と、
前記筐体に収容され、アンテナと、無線回路と、前記アンテナと前記無線回路を形成した基板と、を有し、前記アンテナで受信した外部装置からの第１信号を前記インバータ回路の前記制御部に入力し、前記制御部から出力された第２信号を前記アンテナから前記外部装置に送信して、前記インバータ回路を制御する無線通信モジュールと、
前記筐体の前記第１の側面の外側に突出して設けられ、前記インバータ回路の前記インバータ部から離間して前記無線通信モジュールの前記アンテナを少なくとも収納する突出機構と、を備え、
前記突出機構は、
前記筐体の一部を貫通させて形成された開口と、
前記開口を覆うように設けられた非金属材料で形成されるカバーと、を有しているインバータ装置。
【請求項２】
前記開口は、前記筐体の前記第１の側面の外側に一部を貫通させて形成され、
前記カバーは、前記筐体の外側に突出された前記アンテナを覆うように前記開口を覆う請求項１に記載のインバータ装置。
【請求項３】
前記突出機構は、前記第２の側面に設けられた前記ＡＣ端子に接続されるケーブルと干渉しない位置に設けられている請求項１に記載のインバータ装置。
【請求項４】
前記無線通信モジュールは、前記アンテナのアンテナパターンと、前記無線回路と、を同一基板に形成させて構成され、
前記アンテナパターンが印刷された前記基板の一部が前記突出機構に突出している請求項１に記載のインバータ装置。
【請求項５】
前記筐体の前記第１の側面および前記第２の側面ではない第３の側面および第４の側面に、前記筐体を固定する固定部が設けられる請求項１に記載のインバータ装置。
【請求項６】
角部を有する金属製の筐体と、
前記筐体の前記角部以外の第１の側面に設けられ、発電された直流電力を入力するＤＣ端子と、
前記筐体に収容され、インバータ部と、前記インバータ部を制御する制御部とを有し、前記インバータ部により前記直流電力を交流電力に変換するインバータ回路と、
前記筐体に収容され、アンテナと、無線回路と、前記アンテナと前記無線回路を形成した基板と、を有し、前記アンテナで受信した外部装置からの第１信号を前記インバータ回路の前記制御部に入力し、前記制御部から出力された第２信号を前記アンテナから前記外部装置に送信して、前記インバータ回路を制御する無線通信モジュールと、
前記筐体の前記第１の側面と隣り合う第２の側面に突出して設けられ、前記インバータ回路の前記インバータ部から離間して前記無線通信モジュールの前記アンテナを少なくとも収納する突出機構と、
前記筐体の前記第１の側面又は前記第２の側面に隣り合う第３の側面に設けられ、前記インバータ回路から出力される前記交流電力を出力するＡＣ端子と、を備え、
前記突出機構は、前記筐体の前記第２の側面の外側に一部を貫通させて形成された開口と、前記開口を覆うように設けられ、非金属材料で形成されたカバーと、を有し、
前記カバーは、前記筐体の外側に突出された前記アンテナを覆うように前記開口を覆うインバータ装置。
【請求項７】
前記突出機構は、前記第１の側面又は前記第３の側面に設けられた前記ＡＣ端子に接続されるケーブルと干渉しない位置に設けられている請求項６に記載のインバータ装置。
【請求項８】
前記無線通信モジュールは、前記アンテナと、前記無線回路と、を同一基板に形成させて構成され、
アンテナパターンが印刷された前記基板の一部が前記突出機構に突出している請求項６に記載のインバータ装置。
【請求項９】
前記筐体の前記ＡＣ端子、前記ＤＣ端子、および前記突出機構が設けられていない側面に、前記筐体を固定する固定部が設けられる請求項６に記載のインバータ装置。
【請求項１０】
太陽電池装置であって、
複数の太陽電池素子をフレームによって一体的に支持される太陽電池パネルと、
前記フレームに固定され、複数の前記太陽電池素子で発電された直流電力を交流電力に変換するインバータ装置と、を備え、
前記インバータ装置は、
角部を有する金属製の筐体と、
前記筐体の前記角部以外の第１の側面に設けられ、前記発電された前記直流電力を入力するＤＣ端子と、
前記筐体に収容され、インバータ部と、前記インバータ部を制御する制御部とを有し、前記インバータ部により前記直流電力を交流電力に変換するインバータ回路と、
前記筐体の前記第１の側面と隣り合う第２の側面に設けられ、前記インバータ回路から出力される前記交流電力を出力するＡＣ端子と、
前記筐体に収容され、アンテナと、無線回路と、前記アンテナと前記無線回路を形成した基板と、を有し、前記アンテナで受信した外部装置からの第１信号を前記インバータ回路の前記制御部に入力し、前記制御部から出力された第２信号を前記アンテナから前記外部装置に送信して、前記インバータ回路を制御する前記アンテナを有する無線通信モジュールと、
前記筐体の前記第１の側面の外側に突出して設けられ、前記インバータ回路の前記インバータ部から離間して前記無線通信モジュールの電波を送受信する前記アンテナを少なくとも収納する突出機構と、を具備し、
前記突出機構は、前記筐体の前記第２の側面の外側に一部を貫通させて形成された開口と、前記開口を覆うように設けられ、非金属材料で形成されたカバーと、を有し、
前記カバーは、前記筐体の外側に突出された前記アンテナを覆うように前記開口を覆う太陽電池装置。
【請求項１１】
前記インバータ装置は、前記フレームに対して取り外し可能に固定され、
その固定された状態において、前記インバータ装置と前記太陽電池パネルとの間には、間隙が構成されている請求項１０に記載の太陽電池装置。
【請求項１２】
前記インバータ装置を前記フレームに対して取り外し可能に固定させた状態において、
前記アンテナは、前記フレームと重ならないように配置される請求項１１に記載の太陽電池装置。
【請求項１３】
前記筐体において、前記アンテナを突出させる部分は、前記フレームに隣接した部分以外である請求項１１に記載の太陽電池装置。
【発明の詳細な説明】
【技術分野】
【０００１】
本発明の実施形態は、インバータ装置（inverter）、及び、当該インバータ装置を備えた太陽電池装置（photovoltaic apparatus）に関する。
【背景技術】
【０００２】
例えば、太陽電池や燃料電池などの発電装置から電力を得るための各種のシステムが知られている。その一例として、パワーコンディショナ（power conditioner）によって複数の太陽電池パネルを集中制御する集中制御システムがある。集中制御システムにおいて、複数の太陽電池パネルから発電された全ての直流電力は、１つのパワーコンディショナ（power conditioner）によって、一括して交流電力に変換される。
【先行技術文献】
【特許文献】
【０００３】
【特許文献１】特開２００７−１２７１０号公報
【特許文献２】特開２０１３−１６２２７６号公報
【特許文献３】特開２００２−１４１５３８号公報
【特許文献４】実開平７−３０５５７号公報
【発明の概要】
【発明が解決しようとする課題】
【０００４】
近年、上記した集中制御システムに代わる新たなシステム、例えば、分散制御システムが注目を浴びている。分散制御システムにおいて、複数の太陽電池パネルには、それぞれ１つずつインバータ装置が接続されている。個々の太陽電池パネル毎に、インバータ装置によって直流電力が交流電力に変換される。
【０００５】
更に、分散制御システムには、無線通信によって、個々の太陽電池パネルの発電制御やモニタリングを行うことが可能な技術が求められている。これに応える技術として、例えば、無線通信モジュールをインバータ装置に搭載させる方法がある。この方法において、無線通信モジュールは、インバータ回路と共に、筐体に収容される。
【０００６】
この場合、筐体の材質は、その全体に亘って一定の強度（剛性）を維持すべく金属製であることが要求される。無線通信モジュールのうち、アンテナとして有効な部分（アンテナ部）には、高いアンテナ性能ないし無線性能が要求される。なお、アンテナ性能は、アンテナ部が筐体（金属）に接近すると低下する。無線性能は、アンテナ部がインバータ回路から発生するノイズの影響を受けることで低下する。
【０００７】
本発明の目的は、無線通信モジュールと共にインバータ回路を収容する筐体の強度（剛性）を一定に維持しつつ、優れたアンテナ性能及び無線性能を発揮することが可能な電子制御技術を提供することにある。
【課題を解決するための手段】
【０００８】
実施形態によれば、インバータ装置は、角部を有する金属製の筐体と、ＤＣ端子と、インバータ回路と、ＡＣ端子と、無線通信モジュールと、突出機構と、を備える。ＤＣ端子は、筐体の角部以外の第１の側面に設けられ、発電された直流電力を入力する。インバータ回路は、筐体に収容され、インバータ部と、インバータ部を制御する制御部とを有し、インバータ部により直流電力を交流電力に変換する。ＡＣ端子は、筐体の第１の側面と隣り合う第２の側面に設けられ、インバータ回路から出力される交流電力を出力する。無線通信モジュールは、筐体に収容され、アンテナと、無線回路と、アンテナと無線回路を形成した基板とを有し、アンテナで受信した外部装置からの第１信号をインバータ回路の制御部に入力し、制御部から出力された第２信号をアンテナから外部装置に送信して、インバータ回路を制御する。突出機構は、筐体の第１の側面の外側に突出して設けられ、インバータ回路のインバータ部から離間して無線通信モジュールのアンテナを少なくとも収納する。突出機構は、筐体の一部を貫通させて形成された開口と、開口を覆うように設けられた非金属材料で形成されるカバーと、を有している。
【図面の簡単な説明】
【０００９】
【図１】一実施形態に係るインバータ装置の内部構成を模式的に示す平面図。
【図２】一実施形態に係る太陽電池装置の裏面側の構成を模式的に示す平面図。
【図３】図２に示されたインバータ装置及びその周囲の構成を一部拡大して示す斜視図。
【図４】図３のＦ４−Ｆ４線に沿う断面図。
【図５】複数の太陽電池装置を備えた無線発電システムの構成を示す平面図。
【図６】第１変形例に係るインバータ装置の内部構成を模式的に示す平面図。
【図７】第１変形例に係る太陽電池装置の裏面側の構成を模式的に示す平面図。
【図８】第２変形例に係るインバータ装置の内部構成を模式的に示す平面図。
【図９】第２変形例に係る太陽電池装置の裏面側の構成を模式的に示す平面図。
【図１０】第３変形例に係るインバータ装置の内部構成を模式的に示す平面図。
【図１１】第３変形例に係る太陽電池装置の裏面側の構成を模式的に示す平面図。
【図１２】第４変形例に係るインバータ装置の内部構成を模式的に示す平面図。
【図１３】第４変形例に係る太陽電池装置の裏面側の構成を模式的に示す平面図。
【発明を実施するための形態】
【００１０】
「一実施形態」  
図１には、一実施形態に係るインバータ装置１が示されている。図２には、一実施形態に係る太陽電池装置２が示されている。太陽電池装置２は、インバータ装置１と、太陽電池パネル３と、を備えている。太陽電池パネル３は、セル（cell）と呼ばれる複数の太陽電池素子（図示しない）を、フレーム４によって一体的に支持する構造を有している。なお、各々の太陽電池素子（換言すると、太陽光発電装置）は、例えば、太陽の光が入射した際に、その受光量に応じた電気信号（直流電力）を出力する半導体（換言すると、半導体装置）である。なお、太陽電池パネル３は、入射面３ａと、当該入射面３ａとは反対側の裏面３ｂと、を有している。図２には、太陽電池パネル３の裏面３ｂ側の構成が示されている。
【００１１】
ここで、１つの太陽電池パネル３は、特に図示しないが、セル（太陽電池素子）を必要枚数配列して、樹脂や強化ガラスなどで保護し、外側を例えばアルミニウム製のフレームで固定したものである。
【００１２】
インバータ装置１は、フレーム４に対して取り外し可能に固定させることができる。この場合、フレーム４の構成については特に限定しないが、本実施形態のフレーム４は、例えば図２〜図３に示すように、太陽電池パネル３の裏面３ｂ側に突出した形状を有している。インバータ装置１は、この突出した形状のフレーム４の突出幅の範囲内に位置付けられるように構成されている。なお、これ以外に、インバータ装置１は、架台に固定させてもよい。架台は、例えば、屋根や広場などに太陽電池パネル３を設置する際の足場として構築される。
【００１３】
このような太陽電池パネル３において、複数の太陽電池素子で発電された直流電力は、太陽電池パネル３の裏面に設けられた端子ボックス５を通ってインバータ装置１に供給される。供給された直流電力は、後述するＤＣ端子１７からインバータ装置１内に入力される。インバータ装置１内には、後述する電子部品、例えばインバータ回路７が設けられている。インバータ装置１に入力された直流電力は、当該インバータ回路７によって交流電力に変換される。この後、交流電力は、後述するＡＣ端子１８から出力される。
【００１４】
「インバータ装置１について」  
図１〜図４に示すように、インバータ装置１は、筐体６と、インバータ回路７と、無線通信モジュール８と、突出機構９と、固定機構と、を備えている。筐体６は、その全体（或いは、少なくとも後述する角部１６）が金属材料で形成されている。ここで、金属材料としては、例えば、アルミニウム、ステンレスなどの材料を適用することができる。
【００１５】
インバータ回路７は、インバータ部７ａと、制御部７ｂと、を有している。インバータ部７ａは、直流電力を交流電力に変換する回路を有する。制御部７ｂは、インバータ部７ａを制御可能に構成されている。制御部７ｂは、制御回路を含む。ここで、インバータ部７ａの制御としては、例えば、直流電力を交流電力に変換させるためのルーチン制御、及び、インバータ部７ａの発電状態（例えば、発電量、発電タイミング）の制御などが想定される。
【００１６】
「無線通信モジュール８について」  
無線通信モジュール８は、無線回路１０と、アンテナ１１と、基板１２と、を有している。アンテナ１１は、インバータ回路７（インバータ部７ａ、制御部７ｂ）を無線制御するための信号を通信可能に構成されている。無線回路１０は、例えば、アンテナ１１で受信した信号を制御部７ｂに入力させたり、或いは、制御部７ｂから出力された信号をアンテナ１１から送信させたりすることが可能に構成されている。そして、制御部７ｂは、無線回路から入力された信号に応じてインバータ部７ａの動作を制御する。また、制御部７ｂは、インバータ部７ａの動作状況に関する信号を無線回路に出力する。無線回路１０及びアンテナ１１は、同一の基板１２に設けられている。例えば、同一基板１２上において、無線回路１０とアンテナパターンを形成する。
【００１７】
更に、無線通信モジュール８は、サブギガ帯無線に対応可能に構成されている。サブギガ帯無線とは、１ＧＨｚ以下の周波数帯を指している。サブギガ帯は、国によって使用可能な周波数が異なっている。日本では、サブギガ帯として９２０ＭＨｚ帯の通信周波数が設定されている。この場合、無線通信モジュール８と、後述するゲートウェイ装置２７との間において、９２０ＭＨｚ帯での無線通信を行うことが可能となる。
【００１８】
９２０ＭＨｚ帯での無線通信によれば、２.４ＧＨｚ帯に比べて、少ない消費電力で、電波の到達距離を向上させることができる。これにより、大規模なマルチホップネットワークを構築することができる。更に、９２０ＭＨｚ帯での無線通信によれば、２.４ＧＨｚ帯に比べて、電波の回り込み特性が優れているため、例えば、壁や障害物がある場所でも、安定した通信を確保することができる。
【００１９】
「筐体６について」  
筐体６は、インバータ回路７及び無線通信モジュール８を収容可能に構成されている。筐体６は、蓋部６ａと、収容部６ｂとから構成されている。収容部６ｂは、その一部が開口（図示しない）している。インバータ回路７及び無線通信モジュール８は、当該開口から収容部６ｂに収容させることができる。収容部６ｂの開口は、蓋部６ａによって閉塞させることができる。蓋部６ａで開口を閉塞させた状態において、その内部空間（インバータ回路７及び無線通信モジュール８を収容させる内部空間）は、外部から密閉された状態に維持される。
【００２０】
筐体６は、２つの面（例えば、平面）１３,１４と、複数の側面（例えば、平坦状側面）１５と、を備えている。２つの平面１３,１４は、互いに対向して配置されている。複数の側面１５は、２つの面１３,１４相互間に構成される空間を囲むように配置されている。ここで、平面１４は、蓋部６ａの外面を指し、平面１３は、収容部６ｂの外面を指す。側面１５は、蓋部６ａの側面と収容部６ｂの側面とを合計した領域に亘る側面を指す。
【００２１】
筐体６は、複数の角部１６を備えている。角部１６は、複数の側面１５のうち、隣り合う側面１５の間に構成されている。かかる構成によれば、筐体６は、多角形（例えば、四角形、五角形、六角形など）の輪郭を有する立方体として規定することができる。図面には一例として、四角形の輪郭を有する立方体として規定された筐体６が示されている。この場合、角部１６は、隣り合う側面１５が９０度に曲がった曲がり角として構成されている。なお、角部１６は、曲率を持った構成としてもよい。
【００２２】
筐体６には、一対のＤＣ端子１７と、ＡＣ端子１８と、が設けられている。ＤＣ端子１７は、直流電力をインバータ回路７に入力可能に構成されている。ＡＣ端子１８は、インバータ回路７から交流電力を出力可能に構成されている。ＤＣ端子１７及びＡＣ端子１８は、筐体６の側面１５に設けられている。ＤＣ端子１７が設けられた側面１５と、ＡＣ端子１８が設けられた側面１５とは、互いに直交した位置関係を有している。
【００２３】
ＤＣ端子１７及びＡＣ端子１８は、電子部品のインバータ部７ａに電気的に接続されている。ＤＣ端子１７は、一対のＤＣケーブル１９を介して、上記した端子ボックス５に電気的に接続されている。ＡＣ端子１８からは、ＡＣケーブル２０が延出されている。
【００２４】
このような構成において、太陽電池パネル３で発電された直流電力は、端子ボックス５からＤＣケーブル１９及びＤＣ端子１７を介して、インバータ部７ａに供給される。インバータ部７ａにおいて、直流電力は、交流電力に変換される。この後、交流電力は、ＡＣ端子１８からＡＣケーブル２０を介して、外部（例えば、後述する交流集電箱２９（図５参照））に供給される。
【００２５】
「突出機構９について」  
筐体６には、突出機構９が設けられている。突出機構９は、上記したアンテナ１１の少なくとも一部を筐体６の外側に突出させることが可能に構成されている。突出機構９は、筐体６のうち、角部１６以外の部分に設けられている。この場合、角部１６以外の部分となり得るのは、例えば、２つの平面１３,１４と、複数の側面１５である。図面には一例として、突出機構９が側面１５に設けられた構成が示されている。具体的には、突出機構９は、ＤＣ端子１７が設けられた側面１５に構成されている。
【００２６】
突出機構９は、開口２１と、カバー２２と、を有している。開口２１は、筐体６（側面１５）の一部を貫通させて形成されている。開口２１が形成された側面（第１の側面）１５は、ＡＣ端子１８が設けられた側面（第２の側面）１５とは異なる。この場合、第１の側面１５と、第２の側面１５とは直交している。開口２１とＤＣ端子１７とは、同一の側面（即ち、第１の側面）に設けられている。開口２１と第２の側面と間の距離は、ＤＣ端子１７と第２の側面と間の距離よりも小さい。
【００２７】
更に、開口２１の形状や大きさは、アンテナ１１の少なくとも一部を筐体６の外側に突出可能に設定されている。ここで、アンテナ１１の一部とは、例えば、基板１２に印刷されたアンテナパターンのうち、給電点１１ａから延びるアンテナ部１１ｂ（電波を送受信する部分）の一部として規定することができる。図面には一例として、基板１２に印刷されたアンテナ部１１ｂの一部が、基板１２と共に、開口２１から突出した状態が示されている。
【００２８】
また、カバー２２は、開口２１を覆うことができるように設けられている。カバー２２は、開口２１を通って筐体６の外側に突出されたアンテナ１１の一部を覆うように構成されている。カバー２２は、非金属材料で形成されている。ここで、非金属材料としては、例えば、ＡＢＳ、ポリカーボネートなどの材料を適用することができる。
【００２９】
具体的には、カバー２２は、固定部２２ａと、カバー本体２２ｂと、を有している。固定部２２ａは、開口２１を囲むように筐体６に固定可能に構成されている。固定部２２ａを筐体６に固定させる方法としては、例えば、固定部２２ａを筐体６に接着する方法、固定部２２ａを筐体６にねじ止めする方法などを適用することができる。カバー本体２２ｂは、固定部２２ａから連続して形成されている。カバー本体２２ｂは、その内部が外側に膨らんだ輪郭を有している。
【００３０】
このような構成において、開口２１を囲むように固定部２２ａを筐体６に固定させる。これにより、開口２１を通って筐体６の外側に突出されたアンテナ１１の一部を、カバー本体２２ｂの内部に収納させることができる。これにより、アンテナ１１を外部から密封された環境下に維持させることができる。この結果、アンテナ１１ないし無線通信モジュール８の早期劣化を防止することができる。
【００３１】
「固定機構について」  
筐体６には、固定機構が設けられている。固定機構は、インバータ装置１をフレーム４に対して取り外し可能に固定させることができる。固定機構は、複数の固定部２３と、複数の固定ネジ２４と、を有している。固定部２３は、筐体６の側面１５に沿って間隔を存して配置されている。固定部２３には、ネジ孔２５が形成されている。ネジ孔２５には、固定ネジ２４を螺合させることができる。
【００３２】
固定部２３は、突出機構９、ＤＣ端子１７及びＡＣ端子１８の存在しない側面１５に設けられている。本実施形態において、突出機構９及びＤＣ端子１７に対向する側面１５に２つの固定部２３が設けられていると共に、ＡＣ端子１８に対向する側面１５に２つの固定部２３が設けられている。これらの固定部２３（ネジ孔２５）は、フレーム４に形成された複数の固定孔４ｈ（図４参照）の位置に対応させて設けられている。
【００３３】
かかる構成において、例えば、固定孔４ｈが形成されたフレーム４の背面側に、固定部２３を配置させる。その状態で、固定孔４ｈに対してネジ孔２５を対向させる。フレーム４の表面側から固定ネジ２４を固定孔４ｈに挿入する。続いて、固定ネジ２４をネジ孔２５に螺合させる。これにより、固定部２３がフレーム４に固定される。この結果、インバータ装置１をフレーム４に固定させることができる。
【００３４】
この状態において、インバータ装置１は、フレーム４の突出幅の範囲内に位置付けられる。この場合、例えば、複数の太陽電池装置２を１箇所に収容して管理する環境において、複数の太陽電池装置２（太陽電池パネル３）を隙間なく重ねることができる。これにより、収容管理スペースのコンパクト化を図ることができる。
【００３５】
更に、固定機構により、インバータ装置１をフレーム４に固定させた状態において、インバータ装置１と太陽電池パネル３との間に、間隙２６が構成される。当該間隙２６により、インバータ装置１が太陽電池パネル３に接触し、当該太陽電池パネル３を損傷させるといった事態を未然に回避させることができる。更に、インバータ装置１をフレーム４に固定させた状態において、突出機構９を、ＤＣ端子１７及びＡＣ端子１８に接続される複数のケーブル１９,２０と干渉しない位置に設けることができる。
【００３６】
「一実施形態の効果について」  
本実施形態によれば、筐体６の全体（或いは、少なくとも角部１６）が金属材料で形成されている。加えて、アンテナ１１の少なくとも一部を筐体６の外側に突出させる突出機構９（開口２１）が、筐体６の角部１６以外の部分、即ち、側面１５に設けられている。これにより、筐体６の強度（剛性）を一定に維持することができる。特に、側面１５に開口２１を形成する場合、角部１６を跨いで開口２１を形成する場合よりも、筐体６の切欠き量を小さくすることができる。このため、筐体６全体に亘って強度（剛性）を確保し易くなる。
【００３７】
本実施形態によれば、筐体６に突出機構９（開口２１）を設けることで、アンテナ１１の少なくとも一部を筐体６の外側に突出させることができる。この場合、アンテナ１１の少なくとも一部が、金属製の筐体６の外部に露出した状態となる。この状態において、露出したアンテナ１１の部分は、筐体６（金属）の影響を受け難くなる。更に、露出したアンテナ１１の部分は、インバータ回路７（インバータ部７ａ）から離間した状態となる。このため、当該インバータ回路７（インバータ部７ａ）から発生するノイズの影響も受け難くなる。この結果、優れたアンテナ性能及び無線性能を発揮することが可能なインバータ装置１（無線通信モジュール８）を実現することができる。
【００３８】
本実施形態によれば、優れたアンテナ性能及び無線性能を発揮するアンテナ１１を介して、無線通信モジュール８とゲートウェイ装置２７との間で、９２０ＭＨｚ帯での無線通信を行うことが可能となる。これにより、インバータ回路７（インバータ部７ａ）の発電状態（例えば、発電量、発電タイミング）の制御やモニタリングなどを高精度に行うことができる。
【００３９】
本実施形態によれば、無線通信モジュール８とゲートウェイ装置２７とは、ダイレクトで無線通信が行われる。このため、例えば図５に示すように、複数の太陽電池装置２（太陽電池パネル３）を有する発電システムにおいて、１つのゲートウェイ装置２７により、太陽電池装置２（太陽電池パネル３）毎の制御が可能となる。例えば、１つの太陽電池装置２（太陽電池パネル３）の発電量が低下した場合でも、その低下分を補うように、他の太陽電池装置２（太陽電池パネル３）の発電量を個々に制御することができる。これにより、ＡＣケーブル２０から中継ケーブル２８を通って交流集電箱２９に収集させる電力量を、常に安定化させることができる。
【００４０】
なお、本発明は、上記した一実施形態に限定されることはなく、以下のような各種変形例も、本発明の技術的範囲に含まれる。
【００４１】
「第１変形例について」  
図６には、第１変形例に係るインバータ装置１が示されている。図７には、当該インバータ装置１を備えた第１変形例に係る太陽電池装置２が示されている。第１変形例のインバータ装置１において、一対のＤＣ端子１７と、ＡＣ端子１８とは、１つの長尺な側面１５に沿って並んで設けられている。ＤＣ端子１７及びＡＣ端子１８のレイアウトに合わせて、インバータ回路７（インバータ部７ａ、制御部７ｂ）の配置が構成されている。  
突出機構９は、筐体６のうち、角部１６以外の部分に設けられている。固定部２３は、突出機構９、ＤＣ端子１７及びＡＣ端子１８の存在しない側面１５に設けられている。なお、他の構成及び効果は、上記した実施形態と同様であるため、その説明は省略する。
【００４２】
「第２変形例について」  
図８には、第２変形例に係るインバータ装置１が示されている。図９には、当該インバータ装置１を備えた第２変形例に係る太陽電池装置２が示されている。第２変形例のインバータ装置１において、一対のＤＣ端子１７と、ＡＣ端子１８とは、１つの短尺な側面１５に沿って並んで設けられている。ＤＣ端子１７及びＡＣ端子１８のレイアウトに合わせて、インバータ回路７（インバータ部７ａ、制御部７ｂ）の配置が構成されている。  
突出機構９は、筐体６のうち、角部１６以外の部分に設けられている。固定部２３は、突出機構９、ＤＣ端子１７及びＡＣ端子１８の存在しない側面１５に設けられている。なお、他の構成及び効果は、上記した実施形態と同様であるため、その説明は省略する。
【００４３】
「第３変形例について」  
図１０には、第３変形例に係るインバータ装置１が示されている。図１１には、当該インバータ装置１を備えた第３変形例に係る太陽電池装置２が示されている。第３変形例のインバータ装置１において、一対のＤＣ端子１７と、ＡＣ端子１８とは、対向する短尺な側面１５に設けられている。ＤＣ端子１７及びＡＣ端子１８のレイアウトに合わせて、インバータ回路７（インバータ部７ａ、制御部７ｂ）の配置が構成されている。  
突出機構９は、筐体６のうち、角部１６以外の部分に設けられている。固定部２３は、突出機構９、ＤＣ端子１７及びＡＣ端子１８の存在しない側面１５に設けられている。なお、他の構成及び効果は、上記した実施形態と同様であるため、その説明は省略する。
【００４４】
「第４変形例について」  
図１２には、第４変形例に係るインバータ装置１が示されている。図１３には、当該インバータ装置１を備えた第４変形例に係る太陽電池装置２が示されている。第４変形例のインバータ装置１において、一対のＤＣ端子１７と、ＡＣ端子１８とは、対向する短尺な側面１５に設けられている。ＤＣ端子１７及びＡＣ端子１８のレイアウトに合わせて、インバータ回路７（インバータ部７ａ、制御部７ｂ）の配置が構成されている。  
突出機構９は、筐体６のうち、角部１６以外の部分に設けられている。固定部２３は、突出機構９、ＤＣ端子１７及びＡＣ端子１８の存在しない側面１５に設けられている。
【００４５】
本変形例において、無線回路１０とアンテナ１１は、互いに分かれて配置されている。図面には一例として、無線回路１０とアンテナ１１が、異なる基板１２ａ,１２ｂに設けられた構成が示されている。即ち、一方の基板１２ａに無線回路１０が設けられ、他方の基板１２ｂにアンテナ１１が設けられている。双方の基板１２ａ,１２ｂ（即ち、無線回路１０及びアンテナ１１）は、同軸ケーブル３０によって、相互に電気的に接続されている。なお、他の構成及び効果は、上記した実施形態と同様であるため、その説明は省略する。
【００４６】
「第５変形例について」  
上記した一実施形態、第１〜第４変形例において、インバータ装置１をフレーム４に対して取り外し可能に固定させた状態において、アンテナ１１は、フレーム４と重ならないように配置させることが好ましい。即ち、筐体６において、アンテナ１１を突出させる部分（側面１５）は、フレーム４に隣接した部分（側面１５）以外であることが好ましい。換言すると、アンテナ１１は、フレーム４を回避した部分（側面１５）から突出させることが好ましい。これにより、フレーム４の影響でアンテナ性能が劣化するのを防止することができる。
【符号の説明】
【００４７】
１…インバータ装置、２…太陽電池装置、３…太陽電池パネル、４…フレーム、
５…端子ボックス、６…筐体、７…インバータ回路、８…無線通信モジュール、
９…突出機構、１０…無線回路、１１…アンテナ、１６…角部。
【図１】
0006559459.tif 000002
【図２】
0006559459.tif 000003
【図３】
0006559459.tif 000004
【図４】
0006559459.tif 000005
【図５】
0006559459.tif 000006
【図６】
0006559459.tif 000007
【図７】
0006559459.tif 000008
【図８】
0006559459.tif 000009
【図９】
0006559459.tif 000010
【図１０】
0006559459.tif 000011
【図１１】
0006559459.tif 000012
【図１２】
0006559459.tif 000013
【図１３】
0006559459.tif 000014